(57)【特許請求の範囲】
【請求項１】
本体に入口ポートと出口ポートを設けるとともに、入口ポートに連通し本体の下部に開口する導入通路と、出口ポートに連通し本体の下部に開口する導出通路を設け、本体の通路開口側には導入通路から導出通路へエアが通過する途中にそのエア内の異物を除去するフィルタエレメントを設け、同フィルタエレメントを覆う有底筒状のカバーを本体に取り付けたエアフィルタにおいて、
前記フィルタエレメントには同フィルタエレメントの外周部から突出する支持部を設け、その支持部を前記カバーと本体とで挟むようにしてそのカバーを本体に取り付けたエアフィルタ。
【請求項２】
前記カバーを本体に取り付けた際に相対向するカバーの開口上端面と本体の下面とにより前記支持部を挟むようにしてカバーを本体に取り付けた請求項１記載のエアフィルタ。
【請求項３】
前記支持部を平板状に形成し、その板面が挟まれるようにした請求項１又は２に記載のエアフィルタ。
【請求項４】
本体に入口ポートと出口ポートを設けるとともに、入口ポートに連通し本体の下部に開口する導入通路と、出口ポートに連通し本体の下部に開口する導出通路を設け、本体の通路開口側には導入通路から導出通路へエアが通過する途中にそのエア内の異物を除去するフィルタエレメントを設け、同フィルタエレメントを覆う有底筒状のカバーを本体に取り付けたエアフィルタにおいて、
前記フィルタエレメントには同フィルタエレメントの外周部から突出する支持部を設け、その支持部を前記カバーの開口上端面に載置した状態でそのカバーを本体に取り付け、支持部を挟んでカバーの開口上端面と本体の下面とを相対向させたエアフィルタ。
【請求項５】
本体の下面に、カバーの開口上端部の形状に合わせて形成され当該開口上端部が収容される取り付け凹部を形成し、前記支持部の外周部を取り付け凹部の周面と接触するように形成した請求項４に記載のエアフィルタ。
【請求項６】
前記支持部を複数設け、そのうち一対の支持部を、フィルタエレメントを平面視した場合において当該エレメントを挟んで相対向するように配置した請求項１乃至５に記載のエアフィルタ。
【請求項７】
本体に入口ポートと出口ポートを設けるとともに、入口ポートに連通し本体の下部に開口する導入通路と、出口ポートに連通し本体の下部に開口する導出通路を設け、本体の通路開口側には導入通路から導出通路へエアが通過する途中にそのエア内の異物を除去するフィルタエレメントを設け、同フィルタエレメントを覆う有底筒状のカバーを本体に取り付けたエアフィルタにおいて、
前記フィルタエレメントの外周部には環状の装着溝を形成し、この装着溝には支持板を装着し、支持板には装着溝への装着状態で同装着溝から突出する鍔部を設け、その鍔部をカバーの開口上端面と本体の下面とで挟むようにしてそのカバーを本体に取り付けたエアフィルタ。
【請求項８】
前記装着溝を円環状に形成し、前記支持板をＣリング状に形成するとともに、その開口部が装着溝内の外径よりも少し小さく、かつ弾力で開口部が拡大するように構成した請求項７に記載のエアフィルタ。
【発明の詳細な説明】
【０００１】
【発明の属する技術分野】
本発明は、エアを清浄にするエアフィルタに関する。
【０００２】
【従来の技術】
加圧エアを利用して各種作業を行う自動化システムが数多く利用されている。この自動化システムは、加圧エアによって駆動される各種機器を備え、これら各機器には配管を介して加圧エアが給排される。
【０００３】
この配管内を流れる加圧エアは圧縮機等のエア供給源から供給されるが、このエア供給源で生じる潤滑油等のオイルミストや塵埃、その他大気中に含まれている塵埃、水分等といった異物を含んでいる。このような異物を含んだままの状態で加圧エアが自動化システムを構成する各種機器に供給されると、これら各種機器の故障の原因となる。また、自動化システムをクリーンルーム内で利用する場合には、各種機器等から排出される加圧エアが室内汚染の原因にもなる。そこで、自動化システムを構成する配管には、これらの異物を除去するためのエアフィルタが設けられる。
【０００４】
図８に示すように、従来のエアフィルタ４１の本体４２には、入口ポート４３が設けられている。本体４２の入口ポート４３に対向する側には出口ポート４４が設けられている。また、本体４２には入口ポート４３及び出口ポート４４にそれぞれ連通され、本体４２の下部で開口する導入通路４５及び導出通路４６が形成されている。本体４２の下部には有底筒状のボウル４７及びボウルカバー４８が取り付けられている。
【０００５】
ボウル４７の内部において、導入通路４５と導出通路４６との間にはフィルタエレメント４９が設けられている。このフィルタエレメント４９は、多孔質体により形成され加圧エアが通過する際に同エア内に含まれる異物を除去する筒状のエレメント部５０と、同エレメント部５０をその軸線方向の上下で支持する支持部材５１，５２とを備えている。上側支持部材５１には前記導出通路４６の開口部に対応した装着部５３が突出形成され、この装着部５３が導出通路４６の開口部に挿入されている。また、上側支持部材５１にはエレメント部５０の中空部に対応し、同中空部内と外部とを連通する貫通孔５４が形成されている。一方、下側支持部材５２にはエレメント部５０の中空部側に雌ネジ５２ａが形成されている。
【０００６】
前記本体４２には導出通路４６を形成する内面において、同通路４６内から上側支持部材５１の貫通孔５４、エレメント部５０の中空部を介して下側支持部材５２まで延びるロッド５５の一端部が固定されている。このロッド５５の他端部にはその外周面に雄ネジ５５ａが形成されている。そして、下側支持部材５２に形成された雌ネジ５２ａに前記ロッド５５の雄ネジ５５ａが螺合されることにより、上側支持部材５１の装着部５３が導出通路４６の開口部に挿入された状態でフィルタエレメント４９が本体４２に固定される。
【０００７】
従って、入口ポート４３に供給された加圧エアは導入通路４５、ボウル４７内部のエレメント部５０外周側、エレメント部５０内周側の中空部、上側支持部材５１の貫通孔５４、導出通路４６を介して出口ポート４４へ排出される。そして、加圧エアがエレメント部５０を通過するときに、加圧エアに含まれる異物が除去される。その結果、出口ポート４４からは異物の除去されたクリーンな加圧エアが排出されることになる。
【０００８】
【発明が解決しようとする課題】
ところで、上記従来のエアフィルタ４１では、本体４２へのフィルタエレメント４９の固定を、エレメント部５０内周側の中空部内において下側支持部材５２に形成された雌ネジ５２ａと、ロッド５５の雄ネジ５５ａとを螺合させて行っている。この螺合の際にはネジ同士の摩擦による粉塵の発生が避けられない。このため、エレメント部５０の中空部内という異物の除去されたクリーンな加圧エアが通過する二次側に粉塵の発生源を有していることになる。その結果、エレメント部５０を通過したクリーンな加圧エアとともに粉塵が出口ポート４４から排出されてしまい、本来クリーンなはずであった加圧エアを得られず、エレメント部５０の性能を十分に活かしきれないという問題があった。
【０００９】
そこで、本発明は、以上のような問題を解決することができるエアフィルタを提供することを主目的とする。
【００１０】
【課題を解決するための手段及び発明の効果】
以下に、上記課題を解決し得る手段等について項を分けて列挙する。なお、必要に応じてその作用、効果、具体的手段等についても付記する。
【００１１】
手段１．本体に入口ポートと出口ポートを設けるとともに、入口ポートに連通し本体の下部に開口する導入通路と、出口ポートに連通し本体の下部に開口する導出通路を設け、本体の通路開口側には導入通路から導出通路へエアが通過する途中にそのエア内の異物を除去するフィルタエレメントを設け、同フィルタエレメントを覆う有底筒状のカバーを本体に取り付けたエアフィルタにおいて、
前記フィルタエレメントには同フィルタエレメントの外周部から突出する支持部を設け、その支持部を前記カバーと本体とで挟むようにしてそのカバーを本体に取り付けたエアフィルタ。
【００１２】
手段１によれば、カバーを本体に取り付ける際に、カバーと本体とでフィルタエレメントの支持部が挟まれることにより、フィルタエレメントがカバー内で支持される。このため、フィルタエレメントを取り付ける際に、エアがフィルタエレメントを通過した後の二次側において粉塵等の異物を発生させることはほとんどない。その結果、エレメント部を通過したエアがそのまま出口ポートから排出されることになって、エレメント部の性能を十分に活かすことができる。
【００１３】
また、単に本体とカバーとで支持部が挟まれることでフィルタエレメントが支持されるため、本体に対して螺合させて取り付けるといった工程が不要となり、本体に対するフィルタエレメントの取り付けを容易に行うことができる。
【００１４】
手段２．前記カバーを本体に取り付けた際に相対向するカバーの開口上端面と本体の下面とにより前記支持部を挟むようにしてカバーを本体に取り付けた手段１に記載のエアフィルタ。
【００１５】
手段２によれば、本体の下面とカバーの開口上端面を利用して支持部を挟むよう構成されているため、支持部を挟むための構成を新たに本体やカバーに設ける必要がない。これにより、従来からの本体やカバーをそのまま用いて支持部を挟むことが可能であり、装置のコスト削減に寄与することができる。
【００１６】
手段３．前記支持部を平板状に形成し、その板面が挟まれるようにした手段１又は２に記載のエアフィルタ。
【００１７】
手段３によれば、支持部が平板状に形成されているため、カバーと本体とで支持部を挟んだ場合において、支持部以外の箇所で本体とカバーとの間に生じる隙間を小さくすることができる。このため、無駄な空間が生じることを最小限に抑えることができ、エアフィルタの小型化に寄与することができる。
【００１８】
手段４．本体に入口ポートと出口ポートを設けるとともに、入口ポートに連通し本体の下面に開口する導入通路と、出口ポートに連通し本体の下面に開口する導出通路を設け、本体の通路開口側には導入通路から導出通路へエアが通過する途中にそのエア内の異物を除去するフィルタエレメントを設け、同フィルタエレメントを覆う有底筒状のカバーを本体に取り付けたエアフィルタにおいて、
前記フィルタエレメントには同フィルタエレメントの外周部から突出する支持部を設け、その支持部を前記カバーの開口上端面に載置した状態でそのカバーを本体に取り付け、支持部を挟んでカバーの開口上端面と本体の下面とを相対向させたエアフィルタ。
【００１９】
手段４によれば、フィルタエレメントはその支持部がカバーの開口上端面に載置された状態でカバー内に支持される。このため、手段１と同様、フィルタエレメントを取り付ける際に二次側で異物を発生させることがほとんどなくなり、エレメント部の性能を十分に活かすことができる。
【００２０】
また、導入通路からカバー内部のフィルタエレメントを介して導出通路に流出するという加圧エアの流れのため、フィルタエレメントは本体側に押し付けられる。このため、本体の下面とカバーの開口上端面との間に多少の遊びを設けても、フィルタエレメントはその支持部がカバーの開口上端面に載置されていればフィルタエレメントの支持が不安定な状態にはならない。とすれば、遊びを設けることが可能であるから、その遊びによって支持部周辺の構成を精密加工する必要がなく加工時に生じる誤差を吸収することができる。その結果、エアフィルタの製造コストの削減に寄与できる。
【００２１】
手段５．本体の下面に、カバーの開口上端部の形状に合わせて形成され当該開口上端部が収容される取り付け凹部を形成し、前記支持部の外周部を取り付け凹部の周面と接触するように形成した手段４に記載のエアフィルタ。
【００２２】
手段５によれば、支持部の外周部が取り付け凹部の周面と接触するように形成されているため、カバーを本体に取り付ける際に支持部の外周部をカバーの外周部に合わせて当該支持部を開口上端面に載置すればフィルタエレメントが位置決めされる。このため、支持部にフィルタエレメントの位置決め機能を持たせることができる。
【００２３】
手段６．前記支持部を複数設け、そのうち一対の支持部を、フィルタエレメントを平面視した場合において当該エレメントを挟んで相対向するように配置した手段１乃至５に記載のエアフィルタ。
【００２４】
手段６によれば、支持部が複数設けられているため、フィルタエレメントの周囲の複数箇所で支持部がカバーと本体とにより挟まれることになる。このため、フィルタエレメントの支持をより確実に行うことができる。
【００２５】
また、少なくとも一対の支持部がフィルタエレメントを挟んで相対向するように配置されているため、カバーと本体とで支持部を挟んでフィルタエレメントを支持した場合に、その支持をバランスよく行うことができる。
【００２６】
手段７．本体に入口ポートと出口ポートを設けるとともに、入口ポートに連通し本体の下部に開口する導入通路と、出口ポートに連通し本体の下部に開口する導出通路を設け、本体の通路開口側には導入通路から導出通路へエアが通過する途中にそのエア内の異物を除去するフィルタエレメントを設け、同フィルタエレメントを覆う有底筒状のカバーを本体に取り付けたエアフィルタにおいて、
前記フィルタエレメントには環状の装着溝を形成し、この装着溝に支持板を装着し、支持板には装着溝への装着状態で同装着溝から突出する鍔部を備え、その鍔部をカバーの開口上端面と本体の下面とで挟むようにしてそのカバーを本体に取り付けたエアフィルタ。
【００２７】
手段７によれば、カバーを本体に取り付ける際に、カバーの開口上端面と本体の下面とで鍔部が挟まれることにより、フィルタエレメントがカバー内で支持される。このため、手段１と同様、フィルタエレメントを取り付ける際に二次側で異物を発生させることがほとんどなくなり、エレメント部の性能を十分に活かすことができる。
【００２８】
また、フィルタエレメントに直接支持部を設けた場合には、支持部を本体に接着手段で固定したり、あるいは成型したりするにも、そのようなフィルタエレメントの製造は困難な面が少なからずある。この点、支持部がフィルタエレメントとは別部材である支持板の鍔部とされるため、エアフィルタの製造を容易にすることができる。なお、支持板は装着溝に対して着脱自在であることが好ましい。
【００２９】
手段８．前記装着溝を円環状に形成し、前記支持板をＣリング状に形成するとともに、その開口部が装着溝内の外径よりも少し小さく、かつ弾力で開口部を拡大するように構成した手段７に記載のエアフィルタ。
【００３０】
手段８によれば、支持板は弾力で先端開口部間を拡大しうるよう形成されているため、支持板を装着溝に装着する際には、先端部を装着溝内の外周部に対して押し込むことで支持板が装着溝内に嵌め込まれる。そして、いったん嵌め込まれたら支持板は弾力により装着溝から容易に外れなくなっている。このため、本体の下面とカバー開口上端面とにより挟まれる鍔部がフィルタエレメントの外周部において確実に固定されることになり、フィルタエレメントの支持をより確実に行うことができる。
【００３１】
【発明の実施の形態】
以下に、実施の形態について図１乃至図４を参照しつつ説明する。なお、図１はエアフィルタの縦断面図であり、図２はフィルタエレメントの正面図であり、図３は支持板の平面図、図４は支持板の正面図である。
【００３２】
図１に示すように、エアフィルタ１の本体２にはその側部に入口ポート３が設けられ、入口ポート３に対向する側には出口ポート４が設けられている。入口ポート３には図示しない圧力供給源からの一次側配管が接続され、出口ポート４には加圧エアにより駆動される各種機器等へつながる二次側配管が接続される。両ポート３，４は配管が接続されるための雌ネジが形成された雌ネジ孔として形成したり、その他ワンタッチ継手を設けたりする等、各種形態が考えられる。
【００３３】
本体２には出口ポート４に連通され、本体２下部の中央部付近で開口する導出通路５が形成されている。また、本体２には入口ポート３に連通され、本体２下部において導出通路５の開口部の周辺で開口する導入通路６が形成されている。
【００３４】
本体２の下部には円環溝形状の取り付け凹部７が形成され、この取り付け凹部７には有底円筒状に形成されたカバーとしてのボウル８の開口上端部が装着されている。ボウル８の開口上端部の外周には環状のシールリング９が装着され、このシールリング９により本体２の取り付け凹部７を形成する壁面とボウル８の外周面との間の気密性が保持されている。なお、ボウル８は有底筒状に形成されていればよく、円筒状以外でも横断面四角形状の筒状とするなど各種形状を選択できる。もっとも、この場合には本体２の取り付け凹部７の横断面形状もボウル８の形状に対応した形状となる。
【００３５】
本体２には係合孔１０が形成されている。ボウル８の開口上端部には外周側に突出する係合突部１１が形成されており、ボウル８の開口上端部が取り付け凹部７に装着される際には、この係合突部１１と本体２の係合孔１０とが係合される。これにより、本体２の下部にボウル８が固定される。
【００３６】
ボウル８の外側には有底円筒状に形成されたボウルカバー１２がボウル８を覆うようにして設けられている。ボウルカバー１２の上端部はフランジ状に形成され、このフランジ部１３が前記本体２の係合孔１０に係合されている。これにより、本体２の下部にボウルカバー１２が固定される。そして、ボウル８及びボウルカバー１２の下端部には、ボウル８の内側下端部に溜まった油分・水分等を排出するドレン装置１４が設けられている。
【００３７】
本体２の下部には導入通路６と導出通路５との間にフィルタエレメント１５が設けられ、同フィルタエレメント１５がボウル８の内部に収容されている。図１及び図２に示すように、フィルタエレメント１５は、筒状のハウジング１６と、その内部に設けられた図示しないエレメント部とを備えている。ハウジング１６の上端部には本体装着部１７が設けられている。本体装着部１７は導出通路５の開口部の横断面形状に合わせてその横断面が形成されるとともに、ハウジング１６の内外を連通する貫通孔を有している。この本体装着部１７が導出通路５の開口部に装着されている。このため、ボウル８内のフィルタエレメント１５外側の空間がフィルタエレメント１５の下端側の開口部、フィルタエレメント１５の内部を介して導出通路５に連通される。
【００３８】
本体装着部１７の外周には環状のシールリング収容溝１８が形成され、この収容溝１８に環状のシールリング１９が収容されている。このシールリング１９により導出通路５の内面と本体装着部１７の外周面との間の気密性が保持されている。
【００３９】
エレメント部は、同エレメント部を加圧エアが通過する際に加圧エア中に含まれている異物を除去するもので、例えば開口部をそろえて二つ折りした多数本の多孔質中空糸を結束した構成とされている。もっとも、その他にも一端を閉塞した多数本の多孔質中空糸を設けて多端の開口部側を結束した構成、ハウジング１６の内部全体に設けた多孔質体等、各種の構成を採用できる。
【００４０】
従って、一次側配管から本体２の入口ポート３に供給された加圧エアは導入通路６、ボウル８内部のフィルタエレメント１５外側、エレメント部、本体装着部１７の貫通孔、導出通路５を介して出口ポート４へ排出される。そして、加圧エアがエレメント部を通過するとき、このエレメント部により加圧エアに混じったオイルミスト、水分、塵埃等の異物が除去される。エレメント部で捕捉された異物は、その自重によりボウル８内部の下端部に落下する。このボウル８の内側下端部に溜まったオイルミスト等の異物廃液がドレン装置１４により排出される。その結果、異物の除去されたクリーンな加圧エアだけが導出通路５を介して出口ポート４の二次側配管に流出することになる。
【００４１】
図１及び図２に示すように、前記フィルタエレメント１５のハウジング１６の上端部には円環状の装着溝２０が形成されている。この装着溝２０は前記シールリング収容溝１８よりも下方に形成されている。装着溝２０には支持板２１が装着される。図３及び図４に示すように、支持板２１は装着溝２０に装着される被装着部２２を備えている。被装着部２２は装着溝２０の深さ程度の幅を有した板状かつＣリング状に形成されている。被装着部２２の内径は装着溝２０内の外径とほぼ同じ大きさに形成され、その開口部２２ａは装着溝２０内の外径よりも少し小さく形成されている。支持板２１は金属製であり、開口部２２ａを若干拡大しうる程度の弾性力を有している。この被装着部２２の開口部２２ａを装着溝２０内の外周部に当て、その後、装着溝２０内の外周部に対して押し込むことで被装着部２２が装着溝２０内に嵌め込まれる。このようにして支持板２１が装着溝２０に装着されている。そして、被装着部２２の開口部２２ａは装着溝２０内の外径よりも少し小さく形成されているため、いったん被装着部２２が嵌め込まれると支持板２１は装着溝２０から容易に外れないようになっている。
【００４２】
被装着部２２の外周部には、被装着部２２の外周部からいったん上方に延び、その後外側へ略水平に突出したフランジ状に形成された支持部としての鍔部２３が一対設けられている。両鍔部２３は支持板２１を平面視した場合において同一線上に設けられ、左右対称とされている。そして、支持板２１が装着溝２０に装着されると、両鍔部２３は装着溝２０から突出した状態とされる。また、両鍔部２３の外周部は本体２の取り付け凹部７の周面と接触するように形成されている。従って、その外周部は円弧状に形成されている。もっとも、鍔部２３は取り付け凹部７にボウル８を装着した際に、ボウル８の開口上端面に載置されるものであればよい。ただ、取り付け凹部７やボウル８の横断面形状に合わせて形成するのがより好ましい。
【００４３】
フィルタエレメント１５はこの支持板２１を用いることでボウル８の内部で支持される。即ち、フィルタエレメント１５は装着溝２０に支持板２１が装着された状態で、本体装着部１７が導出通路５の開口部に装着されている。このとき、支持板２１の鍔部２３は本体２の取り付け凹部７内において、その外周部が取り付け凹部７の周面と接触した状態で配置されている。そして、取り付け凹部７にボウル８の開口上端部を装着した場合には、鍔部２３はボウル８の開口上端面と取り付け凹部７の底面とによって挟まれる。これにより、フィルタエレメント１５がボウル８の内部で支持される。
【００４４】
このように、本実施形態のエアフィルタ１では、フィルタエレメント１５に装着された支持板２１の鍔部２３が本体２とボウル８とに挟まれることで、フィルタエレメント１５がボウル８の内部で支持される。その結果、フィルタエレメント１５の取り付け時に、エレメント部を通過した後の二次側に粉塵を発生させることがほとんどなくなり、エレメント部の性能を十分に活かすことができる。
【００４５】
しかも、単に本体２とボウル８とで鍔部２３が挟まれることによりフィルタエレメント１５が支持されるため、取り付けのために本体２に対して螺合させるといった工程が不要となり、本体２に対するフィルタエレメント１５の取り付けを容易に行うことができる。
【００４６】
なお、本実施形態において、支持板２１は二つの部材から構成してもよい。例えば、図５に示すように、被装着部２５を半円Ｃリング状に形成し、円弧方向の中央部に鍔部２６を設けた構成とする。かかる支持板２７を二つ用い、被装着部２５同士で装着溝２０内の外周部を囲うようにして支持板２７を装着溝２０に装着し、所定の手段を用いて両支持板２７を固定するようにしてもよい。
【００４７】
また、支持板２１を用いないでフィルタエレメント１５を支持してもよい。例えば、図６に示すように、ハウジング１６に長手方向が略平行となるように一対の挿通孔２８を形成し、各挿通孔２８に棒２９を挿通する。この場合、両棒２９の挿通孔２８から突出した箇所が支持部とされ、この箇所が本体２とボウル８によって挟まれることで、フィルタエレメント１５がボウル８の内部で支持される。
さらに、図７に示すように、支持板２１等のハウジング１６とは別の部材を用いるのではなく、ハウジング１６の外周面に直接支持部としての鍔部３０を設けてもよい。
【００４８】
また、フィルタエレメント１５を筒状のエレメント部と、同エレメント部をその軸線方向の上下から支持する支持部材とにより構成し、上側支持部材に鍔部２３等の支持部を設ける構成としてもよい。
【００４９】
さらに、鍔部２３は本体２の下面とボウル８の開口上端面とで挟まれるが、鍔部２３と本体２の下面との間には遊びが設けられていてもよい。導入通路６からボウル８内部のフィルタエレメント１５外側、同エレメント１５の下端側の開口部、同エレメント１５の内部を介して導出通路５に流出するという加圧エアの流れのため、フィルタエレメント１５は本体２側に押し付けられる。このため、多少の遊びが設けられていても、エアの流通が休止している状態でフィルタエレメント１５が落下しないよう鍔部２３が形成され、本体２とボウル８との間の気密性が保持されてさえいればフィルタエレメント１５の支持が不安定な状態にはならない。
【図面の簡単な説明】
【図１】エアフィルタの縦断面図。
【図２】フィルタエレメントの正面図。
【図３】支持板の平面図。
【図４】支持板の正面図。
【図５】別の支持構成を示すフィルタエレメントの平面図。
【図６】別の支持構成を示すフィルタエレメントの平面図。
【図７】別の支持構成を示すフィルタエレメントの正面図。
【図８】従来のエアフィルタの縦断面図。
【符号の説明】
１…エアフィルタ、２…本体、３…入口ポート、４…出口ポート、５…導出通路、６…導入通路、８…カバーとしてのボウル、１５…フィルタエレメント、２３…支持部としての鍔部。
【図１】
0003668214.tif 000002
【図２】
0003668214.tif 000003
【図３】
0003668214.tif 000004
【図４】
0003668214.tif 000005
【図５】
0003668214.tif 000006
【図６】
0003668214.tif 000007
【図７】
0003668214.tif 000008
【図８】
0003668214.tif 000009